(57)【要約】【課題】  匙の口腔内への挿入角度にかかわらず、一度で摂取する適切な量の液体食品を、無理なく摂取しやすい液体用匙を提供すること。【解決手段】  把持するための長尺の柄部１２と、この柄部の一端に柄部の長手方向に沿って設けられた匙部１１とを備えた液体用匙であって、匙部１１は、少なくとも先端側と両側面側に壁面部１６が設けられ、この壁面部の周縁が、先端側から柄部側に向かって略均一な曲線により形成されると共に、前記長手方向における最大幅部２０ｂ，２０ｂよりも両側面の柄部側に延伸された円弧を有する飲み口部２０と、この飲み口部から柄部側に突出して形成される凹状の液体収容部３０とを有する。【選択図】        図１
2005118128.tif 000002
【特許請求の範囲】
【請求項１】
把持するための長尺の柄部と、この柄部の一端に前記柄部の長手方向に沿って設けられた匙部とを備えた液体用匙であって、
前記匙部は、
少なくとも先端側と両側面側に壁面部が設けられ、この壁面部の周縁が、前記先端側から前記柄部側に向かって略均一な曲線により形成されると共に、前記長手方向における最大幅部よりも前記両側面の前記柄部側に延伸された円弧を有する飲み口部と、
この飲み口部から前記柄部側に突出して形成される凹状の液体収容部と
を有することを特徴とする、液体用匙。
【請求項２】
前記匙部の周縁が水平となるように位置された状態において、前記匙部の底面は、前記飲み口部の中心部より先端側に最も深い最深部を有し、この最深部から前記柄部側に向かって浅くなるように傾斜していることを特徴とする請求項１に記載の液体用匙。
【請求項３】
前記柄部は、その径方向の断面において、前記匙部の深さ方向に関して薄くされた楕円または長円形状とされていることを特徴とする請求項１または２のいずれかに記載の液体用匙。
【発明の詳細な説明】
【技術分野】
【０００１】
この発明は、通常の匙では困難または困難を感じるため、介助者の介助によって摂食する高齢者や障害者あるいは幼児等の被介助者である使用者や、自ら摂食する行為が困難になりつつある使用者を対象とした液体用匙に関するものである。
【背景技術】
【０００２】
通常、匙を使用して液体を摂取するにあたっては、匙の形状に合わせて口唇を変形させつつ、口唇の左右口角間の距離の２／３程度の位置を匙部に当接されるよう配置し、上唇を液面に当接させて、柄部を把持した手で傾け角度の調整を行いながら液体をすする。
しかし、摂食に当たって介助が必要とされる被介助者等の使用者は、手の傾け角度の調整が困難なだけでなく、液状あるいは半液状のペースト状の液体食品が入った匙の形状に合わせて、口唇の形状を変化させることができないため、液体食品を上手く摂取することができない。このため、母親等の介助者による介助を受けて適切な量の液体食品を、こぼさずに無理なく摂取するための匙として、図９に示す匙が本出願人から提案されている（特許文献１参照）。
【０００３】
図９に示すように、匙１は、把持するための柄部２と、この柄部の一方の先端に匙部本体４を有している。匙部本体４には、被介助者の液体食品の摂取量に対応した凹部からなるボウル部６が設けられている。
また、匙部本体４には、ボウル部６の柄部２側に上方に突出した位置決め手段８が設けられている。この位置決め手段８は、匙１を口腔内に差し入れる際に、口唇を適切な位置に止めるための手段であり、口唇の形状に合わせて形成されている。すなわち、幅方向両端８ａ，８ａがボウル部６の最大幅となる位置まで伸びるよう位置決め手段８として形成されており、幅方向中央８ｂから左右均等に延伸された壁面とされている。
このようにして、匙１は、位置決め手段８により、被介助者の開いた口腔の中にさし入れる際に適切な位置にとどめられ、口角側から液体がこぼれづらいようにすると共に、ボウル部６により、一回で液体食品を口腔に入れる適切の量を調整できるようになっている。
【０００４】
【特許文献１】特開平１１−３０９０５９号公報
【発明の開示】
【発明が解決しようとする課題】
【０００５】
ところで、上述のように、匙１は、位置決め手段８である幅方向両端８ａ，８ａがボウル部６の最大幅部に位置しているため、介助者が被介助者に正対するようにして、匙１を被介助者の口腔内に差し入れる場合は、口唇の形状を位置決め手段８の形状に合わせることができる。
しかし、介助者が被介助者の斜めに立って摂食を行う際には、ボウル部先端に口腔が正対した状態とすることが困難であり、斜め方向から口腔内に挿入しようとすると、位置決め手段８の端部である両端８ａ，８ａが妨げとなってしまう。
また、使用者が自ら匙１を使用する場合においても、通常、斜め方向から口腔内に匙部本体４を挿入する。特に、自ら摂食することが困難になりつつある使用者にあっては、脇を自然と開いた状態に維持して操作をすることが困難なため、脇を若干閉じた状態で食事をすること等が多く、このため、匙１をごく浅い角度すなわち口唇に対して匙部本体４が傾いた状態で挿入される事となる。そして、匙１の挿入角度が浅いと、上述したように位置決め手段８の幅方向両端８ａ，８ａのいずれか一方の端に口唇が当接し、口唇を位置決め手段８の形状に合わせて変形させることが困難となるため、位置決め手段８が却って邪魔になり、液体食品が食べ難くなるという問題があった。
【０００６】
本発明は、このような問題を解決するためになされたもので、匙の口腔内への挿入角度にかかわらず、一度に摂取する適切な量の液体食品を、無理なく摂取しやすい液体用匙を提供することを目的とする。
【課題を解決するための手段】
【０００７】
上記目的は、請求項１の発明にあっては、把持するための長尺の柄部と、この柄部の一端に前記柄部の長手方向に沿って設けられた匙部とを備えた液体用匙であって、前記匙部は、少なくとも先端側と両側面側に壁面部が設けられ、この壁面部の周縁が、前記先端側から前記柄部側に向かって略均一な曲線により形成されると共に、前記長手方向における最大幅部よりも前記両側面の前記柄部側に延伸された円弧を有する飲み口部と、この飲み口部から前記柄部側に突出して形成される凹状の液体収容部とを有する、液体用匙により達成される。
【０００８】
請求項１の構成によれば、匙部は、少なくとも先端側と両側面側に壁面部が設けられているため、すくった液体がこぼれてしまうことを防止できる。
また、この壁面部の周縁が、先端側から柄部側に向かって略均一な曲線により形成されると共に、長手方向における最大幅部よりも両側面の柄部側に延伸された円弧を有する飲み口部が設けられている。このため、例えば、被介助者が自ら所定の角度をもって口腔内に匙部を挿入する場合、或いは介助者が匙を口唇に正対させるようにして被介助者の口腔内に匙部を差し入れる場合のいずれにかかわらず、飲み口部の略均一な曲線から形成された円弧を有する壁面部の周縁に口唇を均等に当接でき、匙部の形状に応じて口唇を大きく変形する必要がない。そして、この当接された口唇の匙部内側に位置する上唇を、収容された液体食品の液面に触れさせて、液体食品を啜ることができる。
【０００９】
ところで、上述した壁面部周縁の円弧が大きな半径を有する円弧であると、飲み口部となる壁面部の周縁に口唇を当接しても、匙部の挿入幅が小さくなってしまう。そして、この挿入幅を大きくしようとして、壁面部周縁に口角が接するほど奥に挿入すると、口唇を上手く変形させることができない使用者では、口唇を匙部内側にある液体食品の液面上に無理なく配置することができず、液体食品を上手く啜ることができないだけでなく、口角側から液体食品がこぼれてしまう恐れがある。したがって、液体用匙の機能を果たすためには、壁面部周縁の円弧の半径をそれほど大きくすることができず、このため、飲み口部を形成する壁面部に囲まれた部分だけでは、一匙で液体食品を啜るための適当な量を収容できない。ところが、請求項１の構成によれば、匙部は、飲み口部から柄部側に突出した凹状の液体収容部を有しているため、この液体収容部によって、飲み口部を形成する壁面部に囲まれた部分の収容量だけでは足りない収容量を確保できる。このように、飲み口部と液体収容部によって、様々な角度から摂取しやすくすると同時に、一度に摂取する適切な量の液体食品を摂取することができる。
【００１０】
請求項２の発明は、請求項１の構成において、前記匙部の周縁が水平となるように位置された状態において、前記匙部の底面は、前記飲み口部の中心部より先端側に最も深い最深部を有し、この最深部から前記柄部側に向かって浅くなるように傾斜していることを特徴とする。
請求項２の構成によれば、匙部の周縁が水平となるように位置された状態において、匙部の底面は最深部を有し、この最深部から柄部側に向かって浅くなるように傾斜している。このため、匙部に収容された液体食品は、収容量の減少に伴ってこの最深部に集まる。そして、この最深部は、飲み口部の中心部より先端側に配置されているため、最深部に集まった液体食品は、口に近い位置に集まる。したがって、液体用匙を大きく傾けることなく液体食品を容易に啜ることができ、特に、被介助者が自ら液体用匙を使用する場合、上述のように角度の違いに伴う口唇の変形を大きくする必要がないだけでなく、肘を大きく移動させて液体用匙を傾けなくても、適切な摂取量の液体食品を容易に啜ることができる。
【００１１】
請求項３の発明は、請求項１または２のいずれかの構成において、前記柄部は、その径方向の断面において、前記匙部の深さ方向に関して薄くされた楕円または長円形状とされていることを特徴とする。
請求項３の構成によれば、柄部は楕円または長円形状とされることで、角がないため把持した手の中での角部があたって隙間が形成されてしまうことを防ぐと共に、柄部の手掌に対する接触面積を多くすることができ、把持し易く、また、手の中で回転することを有効に防止する。このため、液体食品をすくった状態で匙部が傾いてしまうことがなく、匙部の方向性をつけ易い。また、この楕円または長円形状は匙部の深さ方向に関して薄くされているため、例えば柄部の一般的な把持方法であるペングリップにより把持する際、把持するための各指等を正しい位置に配置して、確実に柄部を保持することができる。
【発明の効果】
【００１２】
以上述べたように、本発明によれば、匙の口腔内への挿入角度にかかわらず、一匙で摂取する適切な量の液体食品を、無理なく摂取しやすい液体用匙を提供することができる。
【発明を実施するための最良の形態】
【００１３】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
図１ないし図４は、本発明の実施形態にかかる匙１０であって、図１は匙１０の平面図、図２は図１のＡ−Ａ線切断断面図、図３は図１のＢ−Ｂ線切断断面図、図４は図１のＣ−Ｃ線切断断面図である。
【００１５】
これらの図において、匙１０は、把持するための長尺の柄部１２と、この柄部１２の一端に設けられて、液体食品をすくうための匙部１１とを有している。
柄部１２は、高齢者や障害者あるいは幼児等の被介助者が、自ら液状あるいはペースト状の液体食品を食べるために適し、また、被介助者に摂食させる介助者等が、液状あるいはペースト状の液体食品を食べさせるために適した種々の工夫がなされている。
すなわち、柄部１２は、軽く、そして、加熱された液体食品に耐えて、食器洗い乾燥器等の使用に耐え得る耐熱性を備え、さらに、連続して煮沸消毒でき、ある程度折れにくい強度と耐久性を備えた材料が使用されており、例えばポリプロピレンやポリカーボネート、メラミン樹脂、ポリアミド樹脂、その他、耐熱加工されたＰＥＴ樹脂、ＡＳ樹脂、ＡＢＳ樹脂等により形成されている。
【００１６】
また、柄部１２は、図２に示すように、丼皿などの底の深い食器４０に差し入れた際に、柄部１２を把持した手が液体食品に接触してしまわないように十分な長さをとっており、ここでは、大人が把持した場合を想定して、長さＬ１が１４０mm程度となるように形成されている。
そして、図２に示すように、柄部１２は、匙部１１の周縁が水平となるように位置された状態で、匙部１１との接続部１２ａ付近における水平方向に対する角度θ１を約３０度に形成することで、被介助者が腕を上に高く持ち上げることなく、匙１０を丼皿などの底の深い食器４０に容易に差し入れて、匙部１１の角度を大きく変えることなく液体食品をすくい上げることができるようにしている。
【００１７】
また、柄部１２の略中央１２ｂ付近から柄部１２の後側（図２において右側）の端部１２ｃにかけて下方に垂れ下がるように湾曲している。このため、手の親指と人指し指の中間の形状（図５（ａ）のＴ２で示される人差し指の付け根における親指側側部である示指指節骨底橈側（中手骨骨頭））に沿って柄部の後側の湾曲が配置されるため、把持する力が弱い使用者でも液体食品を確実にすくい上げることができる。
【００１８】
さらに、柄部１２は、その径方向の断面において、匙部１１の深さ方向に関して薄くされた楕円または長円形状とされている。例えば、図３で示されるように、柄部１２の厚みＤ１が、柄部１２の幅Ｗ１よりも薄く、Ｄ１が約８ｍｍ、Ｗ１が約１１mmとされており、断面形がやや扁平な楕円または長円形状となっている。
これにより、柄部１２の断面形状が、例えば断面４角形等であることによる角によって、握った際に手の中で隙間が生じて、握り難くなることを防止できる。また、柄部１２の断面形状が楕円または長円形状であると、手掌に対する接触面積を多くすることで確実に把持することができるだけでなく、匙部１１が回動することを有効に防止できるため、匙部１１の方向性を付け易くし、特に傾きによってこぼれてしまいやすい液体食品を食べやすくすることができる。
なお、ここで示す楕円または長円形状とは、断面形状で長手方向を有する直方体の角部を面取りした状態等も含まれる。
【００１９】
そして、この楕円または長円形状が、匙部１１の深さ方向に関して薄くされていることで、例えば、匙１０をペングリップで把持した図である図５（ａ）に示すように、ペングリップで柄部１２を把持した際、親指と対向した中指の親指側側部である中指末節橈側Ｔ１と、人差し指の付け根における親指側側部である示指指節骨底橈側（中手骨骨頭）Ｔ２と、親指指腹Ｔ３とを楕円または長円形状の幅の広い部分（図３のＷ１における幅の部分）に当てやすく、親指指腹Ｔ３で押さえつけるよう把持することで、柄部１２を確実に保持することができる。そして、このように、正しくペングリップで柄部１２を把持した場合、匙部１１の開口部１１ａを正しい方向に向けることができる。なお、匙１０をパームグラスプで把持した図である図５（b）や、パームグラスプで逆向きに握った状態である図５（ｃ）に示すように、他の把持方法であっても、人指し指から小指までの手掌側の各指付け根Ｔ４や、各指指腹Ｔ５を楕円または長円形状の幅の広い部分に当てることができるので、これらの場合であっても、柄部１２を確実に保持することができる。
【００２０】
なお、本実施形態における柄部１２は、図１に示されるように、平面視において、匙部１１に向かうにつれて、その幅Ｗ１を除々に大きくしながら、匙部１１の両側面側に接続されるようになっている。
【００２１】
匙部１１は、図１に示すように、柄部１２の一端に柄部１２の長手方向に沿って設けられている。ここでは、匙部１１は、柄部１２と一体的に接続され、柄部１２と同様の材料を用いて形成されているが、異なる素材等により別体として形成してもよい。
この匙部１１は、図２および図４に示すように、液体食品を収容する壁面部１６を有している。壁面部１６は、少なくとも匙部１１の先端側と両側面側に設けられ、図２に示すように、先端側の壁面部１６ａは、水平方向に対して角度θ２が４５度〜５５度の範囲とされており、ここでは４８度となるように形成されている。また、図４に示すように、両側面側の壁面部１６ｂ，１６ｂも、水平方向に対して角度θ３が角度θ２と概ね等しい角度となるように形成されており、壁面部１６はいずれも略同等の角度を有するように、すり鉢状に構成されている。
【００２２】
この水平方向に対する角度θ２および角度θ３は、被介助者が使用しやすいように設計されたもので、匙部１１ですくった液体食品をこぼしてしまうことを有効に防止できる。
一方、壁面部１６の角度θ２，θ３を大きくし過ぎないように設計することで、液体を摂取する際に大きく脇や肘を開く方向に動かしたり、或いは手首を回転させなくても、収容された液体食品を容易に口腔内に取り込むことができるようになっている。
また、上述のように、壁面部１６の先端側と両側面側との角度を略同等にすることで、介助によって摂食する場合でも、自ら摂食する場合でも、さらに、自ら摂食する場合に収容物の量や性状によって異なる角度から挿入した場合でも、匙部１１の傾け幅を均等とすることができ、大きく傾けることなく液体を取り込むことができる。
【００２３】
また、匙部１１の底面部１８は、図２に示すように、匙部１１の周縁、すなわち壁面部１６の端面が水平となるように位置された状態において、収容された液体食品が口に近づくように、後述する飲み口部２０の中心部より先端側であって、壁面部１６と底面部１８の境界となる位置に最も深い最深部１８ａを有している。すなわち、後述するように、飲み口部２０は、図１に示す点Ｏを中点とする略真円の円弧を有し、最深部１８ａは、この中点よりも先端側（先端側の壁面部１６ａ側）に配置されている。そして、底面部１８は、この最深部１８ａから柄部側１２に向かって除々に浅くなるように傾斜し、図２においては、水平方向に対して角度θ４が５度〜１２度の範囲となるように傾斜しており、ここでは５度となるように傾斜している。
また、最深部１８ａは、深すぎると、被介助者が大きく肘を移動させて匙１０を傾ける必要が生じてしまうため、最深部１８ａがあまり深くなり過ぎないようにしなければならない。このため、図２においては、最深部１８ａの深さＤ２は、約１４ｍｍ程度となるように設計されている。
【００２４】
そして、匙部１１には、口唇を当接させる部分となる飲み口部２０が設けられている。
図６および図７は、この飲み口部２０を説明するための図であり、図６は主に匙部１１を拡大した平面図であり、図７は匙１０を口腔内に挿入した際の断面図である。
図６において、飲み口部２０は、点線のハッチングで示される部分であり、壁面部１６の周縁（壁面部１６の端面）が、先端側から柄部側に向かって略均一な曲線により形成されると共に、匙１０の長手方向における最大幅部よりも両側面の柄部１２側に延伸された円弧を有している。
【００２５】
すなわち、壁面部１６の端面である周縁は、匙部１１の最大幅を結ぶ仮想線Ｈと、柄部１２と匙部１１の先端を結ぶ仮想線Ｌとが交差する点Ｏを中点とした略真円の１／２円弧より大きな円弧を形成するようになっている。
この円弧は、図１のハッチングの部分に示されるように、匙部１１の先端側に位置する壁面部１６ａの端面である周縁から、両側面側の壁面部１６ｂ，１６ｂの端面である周縁にかけて設けられ、匙１０の長手方向における匙部１１の最大幅部２０ｂ，２０ｂよりも柄部１２側の位置となる周縁端部２０ａ，２０ａまで設けられている。
【００２６】
より具体的には、飲み口部２０は、図７に示すように、平面上の傾け方向に対する角度θ５について、約４５度程度の角度から匙１０を口腔内Ｓに挿入した場合に、口唇ＵＭの口角ＵＥ１，ＵＥ２幅Ｗ２の２／３程度の位置が、飲み口部２０に当接されるようになっており、ここでは、傾け方向に対して角度θ５が約４０度の角度をもって匙１０を口腔内Ｓに挿入した場合であっても、口唇ＵＭの口角ＵＥ１，ＵＥ２幅の２／３程度の位置が飲み口部２０に当接されるように、円弧から形成された壁面部１６の周縁が２０ａ，２０ａの位置まで続いている。
【００２７】
そして、上述のような傾け角度の範囲で使用できるよう、飲み口部２０の端部となる周縁端部２０ａから中心点Ｏを結んだ仮想線Ｊは、中心を通る仮想線Ｌに対して角度θ６が１００度〜１５０度の範囲とされており、ここでは１３０度とされている。また、ここでは、この角度θ６は、匙部１１の先端側から見て両側（図６における上下両方）に均等に形成され、壁面部１６の端面である周縁の円弧角が２６０度とされているが、利き腕に応じて選択できるよう、一方に形成されていてもよい。
【００２８】
さらに、飲み口部２０は、被介助者である摂食者の口唇が飲み口部２０に当接された場合、収容された液体食品を無理なく啜ることができるように形成されている。
具体的には、本実施形態では、図７に示すように、口唇ＵＭの口角ＵＥ１，ＵＥ２幅の２／３程度の位置が飲み口部２０の壁面１６の周縁に当接するよう匙部１１を配置された際に、口角ＵＥ１，ＵＥ２より前方に位置する口唇ＵＭの中央部付近ＵＭ１が、匙部１１に収容された液体食品の液面、より好ましくは上述した最深部１８ａの上方に触れることができるような大きさとなっている。ここでは、通常の口角ＵＥ１と口角ＵＥ２との距離は４５ｍｍ程度であるため、図１に示されるように、壁面部周縁が点Ｏを中点として半径２０ｍｍ〜３０ｍｍの範囲であることが好ましく、ここでは２５ｍｍからなる略真円の円弧となるように飲み口部２０が形成されている。
なお、底面部１８と壁面部１６の境界となる底面部１８の外周形状は、匙部１１の周縁形状の相似形とされており、壁面部１６の角度が均一とされていることとあいまって、匙部１１を傾けることによって液体をすすりやすい形態とされている。
【００２９】
そして、匙部１１は、図１、図６および図７に示すように、液体収容部３０を有している。液体収容部３０は、図６のハッチングで示される飲み口部２０から柄部１２側に突出し、匙部１１における後端側に向かう凹状とされている。
この液体収容部３０は、飲み口部２０だけでは収容しきれない液体食品を収容するための機能を有している。本実施形態では、１０ｃｃの量の液体食品を、飲み口部２０と液体収容部３０とで形成される匙部１０に収容できるように形成されている。
【００３０】
すなわち、出願人の研究により、匙部１１に収容する液体食品の量は、約１０ｃｃが適当であることが判明した。例えば高齢者などの被介助者が、約１０ｃｃを超える量の液体食品を一口で飲もうとすると、嚥下の際に、液体食品を上手く胃に送りこむことができず、むせたりしてしまう。一方、１０ｃｃを大きく下まわる量であると、何度も口腔内に匙を挿入する必要もある。このため、１０ｃｃの液体食品の量を収容することが適当であると判断した。そして、この量を収容した場合の液面の位置については、口角ＵＥ１，ＵＥ２幅の２／３程度の位置の口唇を飲み口部２０に当接した際、口角ＵＥ１，ＵＥ２より匙部１１内側にある口唇が、匙１０を傾けなくても液面に触れることができる位置、例えば匙部１１の周縁から若干下がった位置に液面が位置するようにしている。
ところが、上述のように、飲み口部２０は、所定の角度をつけて匙部１１を口腔内に挿入しても口唇を当接できるように、飲み口部２０に位置する壁面部１６の周縁が略真円の円弧から形成されており、また、匙を傾ける等の高齢者等にとって困難な動作を考察して、上述のように、匙部１１の深さを深くし過ぎることはできない等、被介助者用に最適な匙を提供するために、形状的に多くの規定を設けている。
そこで、飲み口部２０とは別に液体収容部３０を形成し、飲み口部２０と液体収容部３０とで、略１０ｃｃの量の液体食品を収容できるようにしている。
【００３１】
なお、液体収容部３０は、飲み口部２０の上述した機能を阻害しないように、柄部１２側に向かうにつれて幅が狭くなるように形成されている。
また、この液体収容部３０は、匙部１１に形成されているが、口角或いは口唇が当接されることを想定していない部分に設けられれば足りる。例えば柄部１２の厚み方向に凹部を設け、この凹部と匙部１１の凹部とが連通するようにして形成された場合であっても、その柄部に設けた凹部は匙部に設けた液体収容部として効果を発揮する。
【００３２】
本実施形態は以上のように構成されている。このため、図８に示すように、例えば、脇や肘、或いは手首を大きく移動させる等の動作を困難とする高齢者等が、肩幅方向に対して浅い角度θ５をもって口腔内Ｓに匙部１１を挿入せざるを得ない場合であっても、飲み口部２０となる壁面部の周縁に、口唇ＵＭの口角ＵＥ１，ＵＥ２幅の２／３程度の位置を当接させることができる。
そして、口唇ＵＭを上手く動かすことができなくても、この飲み口部２０に当接された口唇ＵＭの匙部１１の内側に位置する口唇の先端ＵＭ１付近を、収容された液体食品ＳＨの液面に無理なく触れさせて、液体食品ＳＨを容易に啜ることができる。
さらに、液体収容部３０により、一口で飲む液体食品ＳＨの量として適した量を確保して、高齢者などの被介助者にとって最適な嚥下を可能とする匙１０を提供することができる。
しかも、介助者の介助によって、口唇と正対した位置に匙部１１先端が配置されるよう液体を摂取する場合等、異なる角度から液体を摂取する場合でも、飲み口部２０における周縁の曲面や傾斜角度が図８の場合と同様となるよう構成されているため、口唇の変形を大きく変えることなく液体をすすりやすい。
【００３３】
本発明は上述の実施形態に限定されない。
例えば、高齢者、障害者あるいは幼児等の違いにより、口唇の寸法、脇や手の動き等が異なるため、これら被介助者に対応して、飲む口部の大きさや最深部の位置、或いは液体収容部の大きさ等を決められる。
また、飲み口部２０の周縁は均一な曲線ではなく、口唇の変形を許容する範囲で、若干異なる曲線とされていてもよい。
【図面の簡単な説明】
【００３４】
【図１】本発明の実施形態にかかる匙の平面図。
【図２】図１のＡ−Ａ線切断断面図。
【図３】図１のＢ−Ｂ線切断端面図。
【図４】図１のＣ−Ｃ線切断端面図。
【図５】匙を把持した図であり、（ａ）はペングリップで把持した図、（ｂ）はパームグラスプで把持した図、（ｃ）はパームグラスプで逆向きに把持した図。
【図６】本発明の実施形態にかかる主に匙部を拡大した平面図。
【図７】匙を口腔内に挿入した際の断面図。
【図８】匙を口腔内に挿入する際の説明図。
【図９】従来の液体食品用匙の斜視図。
【符号の説明】
【００３５】
１０・・・匙、１１・・・匙部、１２・・・柄部、２０・・・飲み口部、３０・・・液体収容部、１６・・・壁面部、１８・・・最深部。
【図１】
2005118128.tif 000003
【図２】
2005118128.tif 000004
【図３】
2005118128.tif 000005
【図４】
2005118128.tif 000006
【図５】
2005118128.tif 000007
【図６】
2005118128.tif 000008
【図７】
2005118128.tif 000009
【図８】
2005118128.tif 000010
【図９】
2005118128.tif 000011